(57)【要約】【課題】記号の入力操作が容易な文書処理装置を提供する。【解決手段】文書処理装置（テープ印刷装置１）は、複数の記号の情報を記憶する記号記憶部３４ｂと、選択された記号を格納する記号格納部（記号格納バッファー３２ｂ）と、文字キーおよび制御キーの押下操作を受け付ける操作受付部（キーボード１１）と、操作受付部が受け付けた制御キーの押下操作に基づいて、記号の書体種別を設定する書体種別設定部（記号カテゴリー設定部３２ｃ）と、操作受付部が受け付けた文字キーに割り当てられた文字と同義で、且つ書体種別設定部に設定された書体種別と同種の記号を、記号記憶部に記憶された記号の中から選出する記号選出部（制御部３０）と、記号選出部が選出した記号を記号格納部に格納する制御部３０と、を備える。【選択図】図３
2012131048.tif 000002
【特許請求の範囲】
【請求項１】
複数の記号の情報を記憶する記号記憶部と、
選択された記号を格納する記号格納部と、
文字キーおよび制御キーの押下操作を受け付ける操作受付部と、
前記操作受付部が受け付けた前記制御キーの押下操作に基づいて、記号の書体種別を設定する書体種別設定部と、
前記操作受付部が受け付けた前記文字キーに割り当てられた文字と同義で、且つ前記書体種別設定部に設定された書体種別と同種の記号を、前記記号記憶部に記憶された記号の中から選出する記号選出部と、
前記記号選出部が選出した記号を前記記号格納部に格納する制御部と、
を備えることを特徴とする文書処理装置。
【請求項２】
請求項１に記載の文書処理装置であって、
前記文字キーの押下操作により入力される文字および記号を、文字列として格納する文字列格納部をさらに有し、
前記制御部は、所定の前記制御キーの押下操作が行われると、前記記号格納部に格納された記号を前記文字列格納部に格納することを特徴とする文書処理装置。
【請求項３】
請求項１または２に記載の文書処理装置であって、
前記文字キーに割り当てられた文字と同義の記号を、同種の書体種別毎に分類して記憶する記号テーブルを有し、
前記記号選出部は、前記操作受付部が受け付けた前記文字キーに割り当てられた文字と同義で、且つ前記書体種別設定部に設定された書体種別と同種の記号を、前記記号テーブルの中から選出することを特徴とする文書処理装置。
【請求項４】
請求項３に記載の文書処理装置であって、
記号の書体種別を選択させるためのメニュー画面を表示するメニュー表示部をさらに有し、
前記メニュー表示部は、前記記号テーブルに分類された記号を前記メニュー画面に表示することを特徴とする文書処理装置。
【請求項５】
複数の記号の情報を記憶する記号記憶部と、選択された記号を格納する記号格納部と、文字キーおよび制御キーの押下操作を受け付ける操作受付部と、を有する文書処理装置の制御方法であって、
前記操作受付部が受け付けた前記制御キーの押下操作に基づいて、記号の書体種別を設定する書体種別設定ステップと、
前記操作受付部が受け付けた前記文字キーに割り当てられた文字と同義で、且つ前記書体種別設定ステップによって設定された書体種別と同種の記号を、前記記号記憶部に記憶された記号の中から選出する記号選出ステップと、
前記記号選出ステップによって選出された記号を前記記号格納部に格納する制御ステップと、
を備えることを特徴とする文書処理装置の制御方法。
【請求項６】
コンピューターに、請求項５に記載の文書処理装置の制御方法における各ステップを実行させるためのプログラム。
【請求項７】
入力された文字や記号に基づいた画像をテープに印刷するテープ印刷装置であって、
複数の記号の情報を記憶する記号記憶部と、
選択された記号を格納する記号格納部と、
文字キーおよび制御キーの押下操作を受け付ける操作受付部と、
前記操作受付部が受け付けた前記制御キーの押下操作に基づいて、記号の書体種別を設定する書体種別設定部と、
前記操作受付部が受け付けた前記文字キーに割り当てられた文字と同義で、且つ前記書体種別設定部に設定された書体種別と同種の記号を、前記記号記憶部に記憶された記号の中から選出する記号選出部と、
前記記号選出部が選出した記号を前記記号格納部に格納する制御部と、
前記記号格納部に格納された記号に基づいた画像を前記テープに印刷する印刷部と、
を備えることを特徴とするテープ印刷装置。
【請求項８】
複数の記号の情報を記憶する記号記憶部と、選択された記号を格納する記号格納部と、文字キーおよび制御キーの押下操作を受け付ける操作受付部と、を有し、入力された文字や記号に基づいた画像をテープに印刷するテープ印刷装置の制御方法であって、
前記操作受付部が受け付けた前記制御キーの押下操作に基づいて、記号の書体種別を設定する書体種別設定ステップと、
前記操作受付部が受け付けた前記文字キーに割り当てられた文字と同義で、且つ前記書体種別設定ステップによって設定された書体種別と同種の記号を、前記記号記憶部に記憶された記号の中から選出する記号選出ステップと、
前記記号選出ステップによって選出された記号を前記記号格納部に格納する制御ステップと、
前記記号格納部に格納された記号に基づいた画像を前記テープに印刷する印刷ステップと、
を備えることを特徴とするテープ印刷装置の制御方法。
【請求項９】
コンピューターに、請求項８に記載のテープ印刷装置の制御方法における各ステップを実行させるためのプログラム。
【発明の詳細な説明】
【技術分野】
【０００１】
本発明は、文書処理装置、テープ印刷装置、及びその制御方法、並びにプログラムに関する。
【背景技術】
【０００２】
従来、テープ印刷装置などの文書処理装置において、通常の文字以外の様々な記号や絵文字が記憶されたものが知られている。このような文書処理装置においては、ユーザーが記号・絵文字選択画面によって記号や絵文字を選択して、編集中の文書（文字列）に挿入することが可能となっている。特許文献１には、絵文字指定データ記憶手段に記憶された複数の絵文字指定データの中から、ランダムに１つの絵文字指定データを選択して印刷する印刷装置（テープ印刷装置）が開示されている。
【先行技術文献】
【特許文献】
【０００３】
【特許文献１】特開２００２−１０３６９５号公報
【発明の概要】
【発明が解決しようとする課題】
【０００４】
しかしながら、従来のテープ印刷装置などの文書処理装置では、記号や絵文字の一覧を表示する記号・絵文字選択画面において、カーソルを移動して記号や絵文字を選択させるようになっていた。このため、ユーザーが所望の記号や絵文字を編集中の文書（文字列）に挿入するためには、記号・絵文字選択画面においてカーソルを移動させて記号や絵文字を探し、選択するという操作を行わなければならなかった。特に、複数の記号や絵文字を選択する場合には、このような操作を複数回行う必要があり、手間が掛かっていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る文書処理装置は、複数の記号の情報を記憶する記号記憶部と、選択された記号を格納する記号格納部と、文字キーおよび制御キーの押下操作を受け付ける操作受付部と、前記操作受付部が受け付けた前記制御キーの押下操作に基づいて、記号の書体種別を設定する書体種別設定部と、前記操作受付部が受け付けた前記文字キーに割り当てられた文字と同義で、且つ前記書体種別設定部に設定された書体種別と同種の記号を、前記記号記憶部に記憶された記号の中から選出する記号選出部と、前記記号選出部が選出した記号を前記記号格納部に格納する制御部と、を備えることを特徴とする。
【０００７】
このような文書処理装置によれば、書体種別設定部は、制御キーの押下操作に基づいて記号（以降、絵文字も記号とする）の書体種別（以降、「カテゴリー」ともいう）を設定する。記号選出部は、受け付けた文字キーに割り当てられた文字と同義で、且つ設定された書体種別と同種の記号を記号記憶部から選出する。制御部は、選出した記号を記号格納部に格納する。これにより、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【０００８】
［適用例２］上記適用例に係る文書処理装置において、前記文字キーの押下操作により入力される文字および記号を、文字列として格納する文字列格納部をさらに有し、前記制御部は、所定の前記制御キーの押下操作が行われると、前記記号格納部に格納された記号を前記文字列格納部に格納することを特徴とする。
【０００９】
このような文書処理装置によれば、所定の制御キーの押下操作が行われると記号格納部に格納された記号を文字列格納部に格納する。これにより、文字列格納部に文字と記号とを混在させることが可能となり、利便性が向上する。
【００１０】
［適用例３］上記適用例に係る文書処理装置において、前記文字キーに割り当てられた文字と同義の記号を、同種の書体種別毎に分類して記憶する記号テーブルを有し、前記記号選出部は、前記操作受付部が受け付けた前記文字キーに割り当てられた文字と同義で、且つ前記書体種別設定部に設定された書体種別と同種の記号を、前記記号テーブルの中から選出することを特徴とする。
【００１１】
このような文書処理装置によれば、文字キーに割り当てられた文字と同義の記号を、同種の書体種別毎に分類した記号テーブルを有する。そして、記号選出部は、文字キーに割り当てられた文字と同義で、且つ書体種別設定部に設定された書体種別と同種の記号を記号テーブルの中から選出する。これにより、文書処理装置における記号の選出処理が簡易になる。
【００１２】
［適用例４］上記適用例に係る文書処理装置において、記号の書体種別を選択させるためのメニュー画面を表示するメニュー表示部をさらに有し、前記メニュー表示部は、前記記号テーブルに分類された記号を前記メニュー画面に表示することを特徴とする。
【００１３】
このような文書処理装置によれば、メニュー表示部は、記号テーブルに分類された記号をメニュー画面に表示する。これにより、ユーザーは、記号の書体種別を容易に認識することができる。
【００１４】
［適用例５］本適用例に係る文書処理装置の制御方法は、複数の記号の情報を記憶する記号記憶部と、選択された記号を格納する記号格納部と、文字キーおよび制御キーの押下操作を受け付ける操作受付部と、を有する文書処理装置の制御方法であって、前記操作受付部が受け付けた前記制御キーの押下操作に基づいて、記号の書体種別を設定する書体種別設定ステップと、前記操作受付部が受け付けた前記文字キーに割り当てられた文字と同義で、且つ前記書体種別設定ステップによって設定された書体種別と同種の記号を、前記記号記憶部に記憶された記号の中から選出する記号選出ステップと、前記記号選出ステップによって選出された記号を前記記号格納部に格納する制御ステップと、を備えることを特徴とする。
【００１５】
このような文書処理装置の制御方法によれば、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【００１６】
［適用例６］本適用例に係るプログラムは、コンピューターに、上記適用例に記載の文書処理装置の制御方法における各ステップを実行させるためのものであることを特徴とする。
【００１７】
このようなプログラムをコンピューターに実行させることにより、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【００１８】
［適用例７］本適用例に係るテープ印刷装置は、入力された文字や記号に基づいた画像をテープに印刷するテープ印刷装置であって、複数の記号の情報を記憶する記号記憶部と、選択された記号を格納する記号格納部と、文字キーおよび制御キーの押下操作を受け付ける操作受付部と、前記操作受付部が受け付けた前記制御キーの押下操作に基づいて、記号の書体種別を設定する書体種別設定部と、前記操作受付部が受け付けた前記文字キーに割り当てられた文字と同義で、且つ前記書体種別設定部に設定された書体種別と同種の記号を、前記記号記憶部に記憶された記号の中から選出する記号選出部と、前記記号選出部が選出した記号を前記記号格納部に格納する制御部と、を備えることを特徴とする。
【００１９】
このようなテープ印刷装置によれば、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【００２０】
［適用例８］本適用例に係るテープ印刷装置の制御方法は、複数の記号の情報を記憶する記号記憶部と、選択された記号を格納する記号格納部と、文字キーおよび制御キーの押下操作を受け付ける操作受付部と、を有し、入力された文字や記号に基づいた画像をテープに印刷するテープ印刷装置の制御方法であって、前記操作受付部が受け付けた前記制御キーの押下操作に基づいて、記号の書体種別を設定する書体種別設定ステップと、前記操作受付部が受け付けた前記文字キーに割り当てられた文字と同義で、且つ前記書体種別設定ステップによって設定された書体種別と同種の記号を、前記記号記憶部に記憶された記号の中から選出する記号選出ステップと、前記記号選出ステップによって選出された記号を前記記号格納部に格納する制御ステップと、前記記号格納部に格納された記号に基づいた画像を前記テープに印刷する印刷ステップと、を備えることを特徴とする。
【００２１】
このようなテープ印刷装置の制御方法によれば、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【００２２】
［適用例９］本適用例に係るプログラムは、コンピューターに、上記適用例に記載のテープ印刷装置の制御方法における各ステップを実行させるためのものであることを特徴とする。
【００２３】
このようなプログラムをコンピューターに実行させることにより、ユーザーは、文字キーを押下することで、記号を選択することが可能になるため、利便性が向上する。また、ユーザーは、選出した記号を連続して記号格納部に格納させることが可能となり、記号の連続入力を容易に行うことができる。
【図面の簡単な説明】
【００２４】
【図１】実施形態のテープ印刷装置を示す斜視図。
【図２】実施形態のテープ印刷装置を示す斜視図。
【図３】テープ印刷装置の回路構成を示すブロック図。
【図４】記号テーブルの説明図であり、（ａ）は、第１創作字についての記号テーブル、（ｂ）は、第２創作字についての記号テーブル。
【図５】テープ印刷装置の記号入力についての状態遷移図。
【図６】テープ印刷装置において記号入力を行う際の画面とその遷移の説明図。
【発明を実施するための形態】
【００２５】
以下、実施形態について説明する。
【００２６】
本実施形態では、文書処理装置の実施形態として、入力された文字列や記号に基づいた画像をテープに印刷するテープ印刷装置について説明する。
【００２７】
図１および図２は、本実施形態のテープ印刷装置を示す斜視図である。
図１および図２に示すように、テープ印刷装置１は、本体が筐体１０に収容された構成を有しており、筐体１０の上面手前側には、操作受付部であるキーボード１１が備えられている。キーボード１１は、文字列の入力等、ユーザーによる各種入力操作、選択操作を受け付ける入力部であり、仮名、漢字、アルファベット、数字、および記号等からなる文字列を入力可能な多数の文字キーと、テープ印刷装置１に対して各種動作を指示するための複数の制御キーとを有している。
【００２８】
キーボード１１が備える制御キーには、電源のオンとオフとを切り替えるための電源キー、入力した仮名を漢字に変換するための変換キー、入力した文字列等を確定させるための選択キー、入力した文字列を削除するための削除キー、カーソルの移動等に用いられるカーソルキー、印刷を実行させるための印刷キー、メニュー画面を表示させるためのメニューキー、記号入力画面を表示させるための記号入力キー、シフトキー等が含まれる。
【００２９】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００３０】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００３１】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００３２】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００３３】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００３４】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４等を備えている。
【００３５】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００３６】
ＣＰＵ３１は、ＲＯＭ３３に記憶されている制御プログラムに従って動作し、テープ印刷装置１全体の各種動作を制御する。
【００３７】
ＲＡＭ３２は、揮発性の記憶装置で構成された記憶部であり、ＣＰＵ３１の各種処理結果や、キーボード１１から入力された文字コード列、表示部１２に表示される表示画像データ、サーマルヘッド１５により印刷される印刷画像データ等を一時的に記憶する。本実施形態では、文字コード列を格納するバッファーを文字列格納バッファー３２ａと呼ぶ。また、入力された記号コード列を一時的に格納するバッファーを記号格納バッファー３２ｂと呼ぶ。ここで、文字列格納バッファー３２ａが文字列格納部に相当し、記号格納バッファー３２ｂが記号格納部に相当する。なお、これらの文字コード列や記号コード列等は、不揮発性の記憶装置であるフラッシュメモリー等に記憶してもよい。また、ＲＡＭ３２には、後述する記号カテゴリー選択状態で選択（設定）された記号カテゴリーを記憶する記号カテゴリー設定部３２ｃが備えられている。ここで、記号カテゴリー設定部３２ｃが書体種別設定部に相当する。
【００３８】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。また、ＲＯＭ３３には、ＣＧＲＯＭ３４の記号記憶部３４ｂに記憶された記号のうち、キーボード１１に備わる文字キーに割り当てられた文字と同義の記号を、同種のカテゴリー（書体種別）毎に分類した記号テーブル３３ｔが記憶されている。
【００３９】
ここで、記号テーブル３３ｔについて説明する。本実施形態では、記号記憶部３４ｂには、少なくとも第１創作字および第２創作字という２つの記号カテゴリー（書体種別）に分類される記号が複数記憶されている。そして、記号テーブル３３ｔは、それぞれの記号カテゴリーに分類される記号の記号コードを記憶している。
図４は、記号テーブル３３ｔの説明図であり、図４（ａ）は、第１創作字についての記号テーブルであり、図４（ｂ）は、第２創作字についての記号テーブルである。
【００４０】
図４（ａ）に示すように、第１創作字についての記号テーブル３３ｔ１は、文字キー（アルファベットキー）に対応する文字（アルファベット）に対して、同義の第１創作字の記号が並んでいる。実際には、記号コードが並んで記憶されている。
【００４１】
また、図４（ｂ）に示すように、第２創作字についての記号テーブル３３ｔ２は、文字キー（アルファベットキー）に対応する文字（アルファベット）に対して、同義の第２創作字の記号が並んでいる。
なお、図４では、アルファベットに関する同義の記号を記しているが、キーボード１１に備わる文字キーに対応していれば、その他の文字や数字等についても記号テーブル３３ｔに記憶してもよい。また、記号テーブル３３ｔの構成については、図４に示した構成に限定するものではなく、他の構成としてもよい。
【００４２】
図３に戻り、ＣＧＲＯＭ３４には、テープ印刷装置１で印刷可能な文字（記号、絵文字も含む）のフォントデータが記憶されている。フォントデータは、サーマルヘッド１５により印刷される文字や、表示部１２に表示される文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。本実施形態では、文字のフォントデータはＣＧＲＯＭ３４の文字記憶部３４ａに記憶される。また、記号（絵文字）のフォントデータはＣＧＲＯＭ３４の記号記憶部３４ｂに記憶される。なお、フォントデータとしては、種々の文字サイズに対応させやすいアウトライン形式のフォントデータを用いるようにしてもよい。
【００４３】
入力インターフェイス３５には、キーボード１１および識別センサー１９が接続されている。ユーザーによりキーボード１１が操作されると、キーボード１１は、この操作を入力操作として受け付けて、操作されたキーに対応するキー情報を、入力インターフェイス３５を介してＣＰＵ３１に出力する。また、識別センサー１９は、装着されたテープカートリッジ２のテープ種別に応じた識別情報を、入力インターフェイス３５を介してＣＰＵ３１に出力する。
【００４４】
出力インターフェイス３６には、表示駆動部４１、ヘッド駆動部４２、搬送駆動部４３、およびカッター駆動部４４が接続されており、これらは、ＣＰＵ３１の制御に基づいて、表示部１２、サーマルヘッド１５、搬送機構１６、およびカッターユニット１８をそれぞれ駆動する。
【００４５】
上記のように構成されたテープ印刷装置１において、ユーザーにより電源キーが操作されると、テープ印刷装置１は、動作を開始し、文字キーによる文字の入力や、制御キーによる各種指示が可能な状態となる。
【００４６】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２の文字列格納バッファー３２ａに記憶する。また、記号や絵文字の入力の場合には、制御部３０は、後述する記号直接入力状態おいて入力された記号や絵文字の文字コードを特定し、この文字コードをＲＡＭ３２の記号格納バッファー３２ｂに一旦格納した後、文字列格納バッファー３２ａに記憶する。そして、制御部３０は、これらの文字コードに対応するフォントデータをＣＧＲＯＭ３４から取得し、このフォントデータを用いて表示画像データを生成する。制御部３０がこの表示画像データを表示駆動部４１に供給すると、入力された文字や記号が表示部１２に表示される。そして、ユーザーが文字の入力を複数回繰り返せば、ＲＡＭ３２の文字列格納バッファー３２ａには、複数の文字コードを含んだ文字コード列（テキストデータ）が記憶され、表示部１２には、複数の文字や記号からなる文字列が表示される。
【００４７】
文字（文字列）が入力された後、ユーザーにより印刷キーが操作されると、テープ印刷装置１は、文字列格納バッファー３２ａに格納された文字コード列に基づいて印刷処理を実行する。このときの制御部３０、ヘッド駆動部４２、サーマルヘッド１５、搬送駆動部４３、および搬送機構１６が印刷部に相当する。
【００４８】
以降、テープ印刷装置１の記号（絵文字）入力の動作について説明する。
まず、テープ印刷装置１の記号入力の状態遷移について、状態遷移図を用いて説明する。図５は、本実施形態に係るテープ印刷装置１の記号入力についての状態遷移図である。
【００４９】
図５に示すように、テープ印刷装置１は、文字入力状態ＳＴ１１、記号カテゴリー選択状態ＳＴ１２、および記号直接入力状態ＳＴ１３に遷移可能となっている。
【００５０】
テープ印刷装置１は、電源キーが押下されると、文字入力状態ＳＴ１１となる。文字入力状態ＳＴ１１は、テープ印刷装置１が、キーボード１１に備わる文字キーの押下によって、文字入力を受け付けて文字列格納バッファー３２ａに順次格納する状態である。文字入力状態ＳＴ１１においては、表示部１２に文字入力のための画面が表示されている。文字入力のための画面については後述する。
【００５１】
文字入力状態ＳＴ１１において、キーボード１１に備わる記号入力キーが押下されると、テープ印刷装置１は、記号カテゴリー選択状態ＳＴ１２に遷移する。記号カテゴリー選択状態ＳＴ１２は、テープ印刷装置１が、記号のカテゴリーの選択（設定）操作を受け付ける状態である。記号カテゴリー選択状態ＳＴ１２においては、表示部１２に記号カテゴリー選択のための画面が表示されている。記号カテゴリー選択のための画面については後述する。
【００５２】
記号カテゴリー選択状態ＳＴ１２において、キーボード１１に備わる選択キーが押下され、記号カテゴリーが選択されると、選択された記号カテゴリーを記号カテゴリー設定部３２ｃに設定し、テープ印刷装置１は、記号直接入力状態ＳＴ１３に遷移する。また、記号カテゴリー選択状態ＳＴ１２において、キーボード１１に備わる削除キーが押下されると、テープ印刷装置１は、文字入力状態ＳＴ１１に遷移する。
【００５３】
記号直接入力状態ＳＴ１３は、テープ印刷装置１が、文字キーによる記号の直接入力操作を受け付ける状態である。記号直接入力状態ＳＴ１３においては、表示部１２に記号の直接キー入力のための画面が表示されている。記号の直接キー入力のための画面については後述する。
【００５４】
記号直接入力状態ＳＴ１３において、キーボード１１に備わる文字キーが押下されると、テープ印刷装置１は、文字キーに割り当てられた文字と同義で、記号カテゴリー設定部３２ｃに設定された記号カテゴリーに含まれる記号を、記号テーブル３３ｔから選出して、記号格納バッファー３２ｂに格納する。また、記号直接入力状態ＳＴ１３において、キーボード１１に備わる変換キーが押下されると、テープ印刷装置１は、記号格納バッファー３２ｂに格納された記号を文字列格納バッファー３２ａに格納して、文字入力状態ＳＴ１１に遷移する。
【００５５】
次に、テープ印刷装置１において記号入力を行う際の操作と画面の遷移と処理について説明する。
図６は、テープ印刷装置１において記号入力を行う際の画面とその遷移の説明図である。
【００５６】
図６の画面Ｇ１０１は、文字入力状態ＳＴ１１であり、文字入力のための画面を表している。画面Ｇ１０１では、文字がまだ入力されていない状態を表している。ここで、数字の「１」は、１行目を表したマークである。
【００５７】
画面Ｇ１０１において、キーボード１１に備わる記号入力キーが押下されると、制御部３０は、表示部１２に記号カテゴリー選択のための画面Ｇ１０２を表示させ、記号カテゴリー選択状態ＳＴ１２に遷移させる。画面Ｇ１０２の上部には、「記号」の文字列が表示される。そして、画面Ｇ１０２の「記号」の下部には、「記号」に含まれる記号カテゴリーの候補として、「第１創作字」、「第２創作字」の文字列が縦に並んで表示されている。ここで、「第１創作字」の文字列は、反転表示されており、カーソルがあることを表している。画面Ｇ１０２の記号カテゴリー表示の右側には、現在カーソルがある「第１創作字」記号カテゴリーに含まれる記号が表示されている。このときの制御部３０および表示部１２が、メニュー表示部に相当する。
【００５８】
画面Ｇ１０２において、下カーソルキーが押下されると、制御部３０は、画面Ｇ１０３のように、記号カテゴリー選択状態ＳＴ１２を維持したまま、異なる記号カテゴリーの候補を表示させる。画面Ｇ１０３では「第２創作字」記号カテゴリーにカーソルがある状態となっており、その右側には、「第２創作字」記号カテゴリーに含まれる記号が表示されている。
【００５９】
画面Ｇ１０２において、キーボード１１に備わる選択キーが押下されると、制御部３０は、記号カテゴリーとして「第１創作字」を選択して、記号カテゴリー設定部３２ｃに設定（記憶）する。そして、制御部３０は、表示部１２に、選択した記号カテゴリーに含まれる記号を直接キー入力するための画面Ｇ１０４を表示させて、記号直接入力状態ＳＴ１３に遷移させる。記号直接入力画面Ｇ１０４の上部には、「記号」、「第１創作」、および第１創作字のイメージを表す「ＡＢＣ」の文字列が表示される。その下部には、キー入力された記号を表示するための入力記号表示欄ＰＣを示す括弧が表示される。ここでは、入力記号表示欄ＰＣには、まだ何も表示されていない。
【００６０】
画面Ｇ１０４において、キーボード１１に備わる文字キーである［Ｅ］キーが押下されると、制御部３０は、文字［Ｅ］と同義で、記号カテゴリー設定部３２ｃに設定されている「第１創作字」記号カテゴリーに含まれる記号「Ｅ」を記号テーブル３３ｔから選出し、記号格納バッファー３２ｂに格納する。そして、制御部３０は、表示部１２に、記号格納バッファー３２ｂに格納された記号［Ｅ］を入力記号表示欄ＰＣに表示させる（ここでは図示せず）。
このように、制御部３０は、文字キーに割り当てられた文字と同義の記号を記号テーブル３３ｔから選出して、選出した記号を記号格納バッファー３２ｂに格納し、さらに、入力記号表示欄ＰＣに表示させる。このときの制御部３０が記号選出部に相当する。
【００６１】
同様に、画面Ｇ１０４において、キーボード１１に備わる文字キーである［Ｐ］キー、［Ｓ］キー、［Ｏ］キー、［Ｎ］キーが順次押下されると、制御部３０は、文字［Ｐ］、［Ｓ］、［Ｏ］、［Ｎ］と同義で、記号カテゴリー設定部３２ｃに設定されている「第１創作字」記号カテゴリーに含まれる記号「Ｐ」、「Ｓ」、「Ｏ」、「Ｎ」を、記号テーブル３３ｔから順次選出し、記号格納バッファー３２ｂに格納する。そして、制御部３０は、表示部１２に、記号格納バッファー３２ｂに格納された記号「Ｐ」、「Ｓ」、「Ｏ」、「Ｎ」を入力記号表示欄ＰＣに表示させる。このように記号入力された画面が画面Ｇ１０５である。なお、キーボード１１に備わるキーが押下されても、「第１創作字」記号カテゴリーに同義の記号が含まれていない場合、即ち記号テーブル３３ｔ１に存在しない場合は、制御部３０は、表示部１２によって、ユーザーに押下したキーは入力不可能である旨を通知する。
【００６２】
画面Ｇ１０５において、変換キーが押下されると、制御部３０は、記号格納バッファー３２ｂに格納されている記号「Ｅ」、「Ｐ」、「Ｓ」、「Ｏ」、「Ｎ」の文字コードを読み出して、文字列格納バッファー３２ａに格納する。そして、制御部３０は、表示部１２に、文字列格納バッファー３２ａに格納された文字列を画面Ｇ１０６のように表示させ、文字入力状態ＳＴ１１に遷移する。画面Ｇ１０６では、記号「Ｅ」、「Ｐ」、「Ｓ」、「Ｏ」、「Ｎ」が挿入されている。このときの変換キーが、所定の制御キーに相当する。
【００６３】
上述したように、記号直接入力状態ＳＴ１３においては、文字キーを押下することにより、設定された記号カテゴリーの記号であって、文字キーに割り当てられた文字と同義の記号を記号格納バッファー３２ｂに直接入力することができる。そして、変換キーを押下することで文字列格納バッファー３２ａに格納することができる。
【００６４】
上述した実施形態によれば、以下の効果が得られる。
（１）テープ印刷装置１は、押下された文字キーに割り当てられた文字と同義で、記号カテゴリー設定部３２ｃに設定された記号カテゴリーに含まれる記号を、記号テーブル３３ｔから選出する。そして、選出した記号を記号格納バッファー３２ｂに格納する。これにより、ユーザーは、文字キーの押下操作によって記号を選択することが可能になるため、利便性が向上する。つまり、カーソルを移動させて記号を探して、選択するという操作を繰り返し行う必要がなく、文字キーにより直接入力できるため、操作性が向上する。また、記号を連続して記号格納バッファー３２ｂに格納させることが可能となり、記号の連続入力を容易に行うことができる。
【００６５】
（２）テープ印刷装置１は、変換キーの押下操作が行われると、記号格納バッファー３２ｂに格納された記号を文字列格納バッファー３２ａに格納する。これにより、文字列に記号を挿入することが可能となり、利便性が向上する。
【００６６】
（３）テープ印刷装置１は、記号テーブル３３ｔを有する。そして、文字キーに割り当てられた文字と同義で、且つ記号カテゴリー設定部３２ｃに設定された記号カテゴリーに含まれる記号を記号テーブル３３ｔの中から選出する。これにより、記号の選出処理が簡易になり、ソフトウェアの負荷を低減することができる。
【００６７】
（４）テープ印刷装置１は、表示部１２に、記号テーブル３３ｔに分類された記号を図６の画面Ｇ１０２，Ｇ１０３のように表示する。これにより、ユーザーは、記号のカテゴリーの認識および選択を容易に行うことができる。
【００６８】
また、上述した実施形態は、上記機能を実現するためのプログラムをコンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、テープ印刷装置の内部記憶装置（ＲＡＭやＲＯＭ等の半導体メモリー）、及び外部記憶装置（ＵＳＢ（Universal Serial Bus）メモリー等）等、前記コンピューターが読み取り可能な種々の媒体を利用することができる。
【００６９】
なお、上述した実施形態に限定されず、種々の変更や改良等を加えて実施することが可能である。変形例を以下に述べる。
【００７０】
（変形例１）上記実施形態では、記号直接入力状態ＳＴ１３において、変換キーの押下によって、文字入力状態ＳＴ１１に遷移するものとしたが、文字入力状態ＳＴ１１に遷移するためのキーは、他のキーとしてもよい。また、他の状態における遷移のためのキーも、上記実施形態に記載したキーに限定するものではない。
【００７１】
（変形例２）上記実施形態では、第１創作字についての記号テーブル３３ｔ１や第２創作字についての記号テーブル３３ｔ２では、大文字のアルファベットに対応する記号が表されているが、小文字のアルファベットに対応する小文字の記号も記号テーブル３３ｔに備えるものとしてもよい。そして、小文字のアルファベットに対応する小文字の記号も文字キーにより入力可能としてもよい。この場合、例えば、シフトキーと文字キーを同時押下することにより、小文字の記号を入力することができる。
【００７２】
（変形例３）上記実施形態では、文書処理装置としてテープ印刷装置１を例にして説明しているが、文書処理装置はテープ印刷装置に限定するものではない。例えば、記号や絵文字の選択が可能なワードプロセッサー等に適用することも可能である。
【００７３】
（変形例４）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【００７４】
１…テープ印刷装置、２…テープカートリッジ、１０…筐体、１１…キーボード、１２…表示部、１３…凹部、１４…開閉蓋、１４ａ…確認窓、１５…サーマルヘッド、１６…搬送機構、１６ａ，１６ｂ…回転軸、１７…スリット、１８…カッターユニット、１９…識別センサー、２０…カートリッジケース、２１…孔状のヘッド嵌合部、２２ａ，２２ｂ…孔状の被駆動部、３０…制御部、３０ａ…バス、３１…ＣＰＵ、３２…ＲＡＭ、３２ａ…文字列格納バッファー、３２ｂ…記号格納バッファー、３２ｃ…記号カテゴリー設定部、３３…ＲＯＭ、３３ｔ…記号テーブル、３４…ＣＧＲＯＭ、３４ａ…文字記憶部、３４ｂ…記号記憶部、３５…入力インターフェイス（Ｉ／Ｆ）、３６…出力インターフェイス（Ｉ／Ｆ）、４１…表示駆動部、４２…ヘッド駆動部、４３…搬送駆動部、４４…カッター駆動部。
【図１】
2012131048.tif 000003
【図２】
2012131048.tif 000004
【図３】
2012131048.tif 000005
【図４】
2012131048.tif 000006
【図５】
2012131048.tif 000007
【図６】
2012131048.tif 000008